【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
子ノード（１０４ａ）によって実行される方法（６００）であって、当該子ノード（１０４ａ）はタイムスロットチャネルホッピング（ＴＳＣＨ）ネットワーク（１００）において動作する親ノード（１０２ｂ）と接続するためのアソシエーション要求を開始し、
方法（６００）は、
子ノード（１０４ａ）によって、ＴＳＣＨネットワーク（１００）において１つ以上の利用可能な親ノード（１０２ｂ、１０２ｄ）をスキャンすること（６１０）と、
前記子ノード（１０４ａ）の通信範囲内に前記１つ以上の利用可能な親ノード（１０２ｂ）が閾値数より少ないと判断したとき、前記１つ以上の利用可能な親ノード（１０２ｂ、１０２ｄ）のうちの第１の親ノード（１０２ｂ）にアソシエーション要求を送信し、前記アソシエーション要求が優先要求を含むこと（６２０）と、
前記第１の親ノード（１０２ｂ）から、前記アソシエーション要求を受け付けるまたは拒絶するアソシエーション応答を受信すること（６３０）と、
を備える、方法（６００）。
【請求項２】
前記アソシエーション要求は、短期優先または長期優先のための期間要求を含む、請求項１に記載の方法（６００）。
【請求項３】
前記親ノード（１０２ｂ、１０２ｄ）の閾値数が閾値時間期間にわたって増加したかを判断することに基づいて、前記ＴＳＣＨネットワーク（１００）が初期化状態にあると前記子ノード（１０４ａ）によって判断されたとき、前記アソシエーション要求は短期優先のための前記期間要求を含む、請求項２に記載の方法（６００）。
【請求項４】
前記親ノード（１０２ｂ、１０２ｄ）の閾値数が閾値時間期間にわたって変化したかを判断することに基づいて、前記ＴＳＣＨネットワーク（１００）が成熟状態にあると前記子ノード（１０４ａ）によって判断されたとき、前記アソシエーション要求は長期優先のための前記期間要求を含む、請求項２に記載の方法（６００）。
【請求項５】
前記子ノードによって受信された前記アソシエーション応答は前記アソシエーション要求を拒絶するものであり、
前記方法は（６００）、
前記１つ以上の利用可能な親ノード（１０２ｂ、１０２ｄ）のうちの第２の親ノードに前記アソシエーション要求を送信し、前記アソシエーション要求が前記優先要求を含むことをさらに備える、請求項１に記載の方法（６００）。
【請求項６】
処理装置（２０２）と、
非一時的コンピュータ可読媒体（２０４）と、を備えた子ノード（１０４ａ〜１０４ｄ）であって、
前記処理装置（２０２）は、
前記子ノード（１０４ａ〜１０４ｄ）によって、タイムスロットチャネルホッピング（ＴＳＣＨ）ネットワーク（１００）において１つ以上の利用可能な親ノード（１０２ａ〜１０２ｄ）をスキャンすることと、
前記子ノード（１０４ａ〜１０４ｄ）の通信範囲（１１０ａ、１１０ｂ）内に前記１つ以上の利用可能な親ノード（１０２ａ〜１０２ｄ）が閾値数より少ないと判断したとき、前記１つ以上の利用可能な親ノード（１０２ａ〜１０２ｄ）のうちの第１の親ノード（１０２ｂ）にアソシエーション要求を送信し、前記アソシエーション要求が優先要求を含むことと、
前記第１の親ノード（１０２ｂ）から、前記アソシエーション要求を受け付けるまたは拒絶するアソシエーション応答を受信することと、
を備える動作を行うように、前記非一時的コンピュータ可読媒体（２０４）に実装された指令を実行するために構成されている、子ノード（１０４ａ〜１０４ｄ）。
【請求項７】
前記子ノード（１０４ａ〜１０４ｄ）は、前記ＴＳＣＨネットワーク（１００）の前記１つ以上の親ノード（１０２ｄ）の通信範囲内に一時的にあるモバイル装置であり、前記アソシエーション要求は短期優先のための前記期間要求を含む、請求項６に記載の子ノード（１０４ａ〜１０４ｄ）。
【請求項８】
前記子ノード（１０４ａ〜１０４ｄ）は、前記子ノード（１０４ａ〜１０４ｄ）の電池残量が少ないか否かを判断し、前記子ノード（１０４ａ〜１０４ｄ）の電池残量が少ないと前記子ノード（１０４ａ〜１０４ｄ）によって判断されたとき、前記アソシエーション要求が短期優先のための前記期間要求を含むように構成されている、請求項６または７に記載の子ノード（１０４ａ〜１０４ｄ）。
【請求項９】
タイムスロットチャネルホッピング（ＴＳＣＨ）ネットワーク（１００）において動作する親ノード（１０２ｄ）によって、要求する子ノード（１０４ｂ）から、前記親ノード（１０２ｄ）と通信するためのアソシエーション要求を受信すること（７１０）であって、前記アソシエーション要求が優先要求を含み、前記親ノード（１０２ｄ）が接続した子ノード（１０４ａ〜１０４ｄ）のための限られた数のエントリのリストをそのメモリに維持し、前記親ノード（１０２ｄ）が優先接続のための限られた数のエントリのうちの少なくとも１つのエントリを保留する、受信する（７１０）ことと、
前記アソシエーション要求が前記優先要求を含むと前記親ノード（１０２ｄ）によって判断されたとき、前記接続した子ノード（１０４ａ〜１０４ｄ）のための前記限られた数のエントリの前記リストが最大限になったかに基づいて、短期アソシエーションまたは長期アソシエーションのためのアソシエーション要求を受け付けること（７４０）であって、前記要求する子ノード（１０４ｂ）を識別する識別子を、優先接続のための前記限られた数のエントリのうちの前記少なくとも１つのエントリに追加することによって、前記アソシエーション要求が受け付けられる、受け付けること（７４０）と、
どの前記アソシエーション要求が受け付けられたまたは拒絶されたか否かを示すアソシエーション応答を前記要求する子ノード（１０４ｂ）に送信する（７７０）ことと、
を備える、方法（７００）。
【請求項１０】
前記親ノード（１０２ｄ）は、ユーティリティリソースプロバイダと、１つ以上のホームエリアネットワークに配置された複数の子ノード（１０４ａ〜１０４ｄ）との間の通信を提供する複数のＴＳＣＨノードの１つであり、前記要求する子ノード（１０４ｂ）は前記複数の子ノード（１０４ａ〜１０４ｄ）のうちの１つである、請求項９に記載の方法（７００）。
【請求項１１】
前記接続した子ノードのための前記限られた数のエントリが最大限になったと判断すること（７３０）と、
以前に接続した子ノード（１０４ｃ）のアソシエーションを一時停止させること（７６０）であって、前記要求する子ノード（１０４ｂ）からの前記優先アソシエーション要求が短期アソシエーションまたは長期アソシエーションのために受け付けられる、一時停止させること（７６０）と、
をさらに備える、請求項９または１０に記載の方法（７００）。
【請求項１２】
前記短期アソシエーションは、前記要求する子ノード（１０４ｂ）と前記親ノード（１０２ｄ）との間の通信活動を完成するのに必要な時間期間のためのものである、請求項９〜１１のいずれか１項に記載の方法（７００）。
【請求項１３】
前記通信活動が完成したとき、前記要求する子ノード（１０４ａ〜１０４ｄ）とのアソシエーションを中止すること、
をさらに備える、請求項９〜１２のいずれか１項に記載の方法（７００）。
【請求項１４】
前記接続した子ノード（１０４ａ〜１０４ｄ）のための前記限られた数のエントリが最大限になっていないと判断すること（７５０）であって、前記要求する子ノード（１０４ａ〜１０４ｄ）からの前記アソシエーション要求が前記長期アソシエーションのために受け付けられる（７４０）、判断すること（７５０）、
をさらに備える、請求項９〜１３のいずれか１項に記載の方法（７００）。
【請求項１５】
タイムスロットチャネルホッピング（ＴＳＣＨ）ネットワーク（１００）において動作し、請求項９〜１４のいずれか１項に記載の方法を実行するように適用される、親ノード（１０２ｄ）。
【請求項１６】
前記子ノード（１０４ｂ）とユーティリティリソースプロバイダとの間の通信を提供するためのルーティング装置を備える、請求項１５に記載の親ノード（１０２ｄ）。